(57)【要約】【課題】携帯用機器が操作し易く、また、イヤホンのコードが外側に煩わしく引き回されることがなく、携帯用機器を心地よく使用することのできる上着を提供する。【解決手段】上着１０の外側に開口し、イヤホン３１を有する携帯用機器３０を収容可能な外ポケット１１と、該外ポケット１１の内部を上着１０の内側に連通させる貫通孔によって構成されると共に、前記携帯用機器３０のイヤホン３１のコード３２を挿通可能に構成された外ポケット挿通部２０とを備え、前記外ポケット挿通部２０は、丸孔状、縦長のスリット状、または、端部に丸孔を備えたスリット状に形成されている。【選択図】図１
2010126870.tif 000002
【特許請求の範囲】
【請求項１】
上着の外側に開口し、イヤホンを有する携帯用機器を収容可能な外ポケットと、
該外ポケットの内部を上着の内側に連通させる貫通孔によって構成されると共に、前記携帯用機器のイヤホンのコードを挿通可能に構成された外ポケット挿通部と
を備え、
前記外ポケット挿通部は、丸孔状に形成されている
ことを特徴とする上着。
【請求項２】
上着の外側に開口し、イヤホンを有する携帯用機器を収容可能な外ポケットと、
該外ポケットの内部を上着の内側に連通させる貫通孔によって構成されると共に、前記携帯用機器のイヤホンのコードを挿通可能に構成された外ポケット挿通部と
を備え、
前記外ポケット挿通部は、縦長のスリット状に形成されている
ことを特徴とする上着。
【請求項３】
上着の外側に開口し、イヤホンを有する携帯用機器を収容可能な外ポケットと、
該外ポケットの内部を上着の内側に連通させる貫通孔によって構成されると共に、前記携帯用機器のイヤホンのコードを挿通可能に構成された外ポケット挿通部と
を備え、
前記外ポケット挿通部は、端部に丸孔を備えたスリット状に形成されている
ことを特徴とする上着。
【発明の詳細な説明】
【技術分野】
【０００１】
本発明は、上着に関するものであり、詳しくは、イヤホンを有する携帯用機器を収容可能な外ポケットを具備する上着に関するものである。
【背景技術】
【０００２】
近年においては、小型軽量で携帯して使用することのできる様々な携帯用機器が案出されており、中には、携帯用音楽再生機や携帯電話機等のように、携帯して音楽や会話を楽しむことのできるイヤホンを有する携帯用機器がある。
【０００３】
ところで、背広の上衣やジャケット等の上着には、外側（被服の表側）に開口する外ポケットが設けられているのが通常であり、上記携帯用機器を携帯する際には、携帯用機器を上着の外ポケットに入れて持ち歩くことが一般的になされている。
【発明の概要】
【発明が解決しようとする課題】
【０００４】
携帯用機器を外ポケットに入れてイヤホンを使用すると、携帯用機器から延び出るイヤホンのコードが上着の外側にて引き回される。よって、イヤホンのコードが使用者の手や周りの人の被服等に引っ掛かる可能性があり、煩わしい。
【０００５】
ところで、上着の中には、内側（被服の裏側）に開口する内ポケットを有するものがあり、携帯用機器を内ポケットに入れておくこともできる。このようにすれば、イヤホンのコードを上着の内側にて引き回すことができる。しかしながら、携帯用機器を内ポケットに入れておいた場合には、携帯用機器が操作し難くなるといった不具合を生じる。
【０００６】
本発明は、上記実情を鑑みてなされたものであり、携帯用機器が操作し易く、また、イヤホンのコードが外側に煩わしく引き回されることがなく、携帯用機器を心地よく使用することのできる上着を提供することを課題とする。
【課題を解決するための手段】
【０００７】
上記課題を解決するために本発明の採った主要な手段は、
「上着の外側に開口し、イヤホンを有する携帯用機器を収容可能な外ポケットと、
該外ポケットの内部を上着の内側に連通させる貫通孔によって構成されると共に、前記携帯用機器のイヤホンのコードを挿通可能に構成された外ポケット挿通部と
を備えることを特徴とする上着」
である。
【０００８】
上記構成の上着では、携帯用機器を外ポケットに入れておくことで、携帯用機器を操作し易くなる。また、携帯用機器から延び出るイヤホンのコードを、外ポケットの内部を上着の内側に連通させる外ポケット挿通部に通すことで、コードを上着の内側にて引き回すことができる。
【０００９】
このように、上記構成の上着によれば、外ポケットに携帯用機器を入れておくことで、操作し易い状態で携帯用機器を携帯することができ、また、イヤホンのコードを上着の内側に引き回すことで、イヤホンのコードが外側に煩わしく引き回されるいった不具合を解消することができる。
【００１０】
なお、貫通孔によって構成された外ポケット挿通部を上着に設けても、外ポケット挿通部は、外ポケットの内部を上着の内側に連通させるものであり、外ポケットの裏側に設けられたものであることから、上着の外側からの美観をなんら損ねることはなく、上着のデザイン性に支障を来たすことはない。
【００１１】
ところで、本発明では、外ポケット挿通部を、丸孔状、スリット状、または、端部に丸孔を備えたスリット状に形成してある。
【００１２】
外ポケット挿通部を丸孔状とすることで、挿通したコードを円滑にスライドさせることができる。
【００１３】
外ポケット挿通部を縦長のスリット状とすることで、イヤホンやコードの接続端子を通す際には大きく開かせることができる一方で、コードを挿通させた後にはスリット状の外ポケット挿通部が自動的に狭く閉じるため、挿通したコードが無用にスライドしないように、ある程度、拘束することができる。
【００１４】
外ポケット挿通部を、端部に丸孔を備えたスリット状とすることで、丸孔状だけの外ポケット挿通部やスリット状だけの外ポケット挿通部に比して、イヤホンやコードの接続端子を通し易くすることができる。
【００１５】
上述した手段において、
「上着の内側において前記外ポケット挿通部の上方に配設されると共に、前記コードを挿通可能に構成された上方挿通部、をさらに具備することを特徴とする上着」
とするのが好適である。
【００１６】
イヤホンのコードが上着の内側に引き回されてはいても、コードが長いと、上着の内側にて無用にぶらついて、多少の煩わしさが残る。
【００１７】
これに対して、上記構成の上着では、上着の内側において、外ポケットの上方にコードを挿通可能に構成された上方挿通部を備えており、この上方挿通部にコードを通すことで、上着の内側に引き回されたコードが無用にぶらつくを防止できる。
【００１８】
なお、上方挿通部としては、上着の裏地（上着の内側を構成する布地）に穿設された孔、布や紐をループさせて上着の裏地に縫着してなる環、両端の間にコードを通すことができるように布や紐の両端を上着の裏地に固定してなる通し片等を例示することができる。
【００１９】
ここで、上部挿通部を通し片によって構成する場合には、布や紐の一端を上着の裏地に縫着する一方で、他端を、ボタンやホックによって上着の裏地に着脱自在に固定できるような通し片とするとよい。通し片と上着の裏地との間にコードをくぐらせるばかりでなく、通し片の他端側を上着の裏地から取外した状態で通し片と上着の裏地との間にコードを配置して、通し片の他端側を上着の裏地に固定することで、通し片にコードが挿通された状態とすることができるからである。
【００２０】
上述した手段において、
「前記外ポケット挿通部の上方に配設されて上着の内側に開口する内ポケットを備え、
該内ポケットの内部を上着の内側に連通させる貫通孔によって前記上方挿通部が構成されていることを特徴とする上着」
とするのが好適である。
【００２１】
上記構成の上着は、上方挿通部の具体的な構成を特定したものであり、内ポケットの内部を上着の内側に連通させる貫通孔によって上方挿通部を構成することで、上着の内側に、無用に突出しないすっきりとした上方挿通部を設けることができる。また、イヤホンの不使用時にイヤホンを内ポケットに入れておくと、内ポケットの上方挿通部に通したコードが上方挿通部よって拘束されるため、イヤホンのコードが大きく垂下がることを防止でき、イヤホンの不使用時において、大きく垂下がるコードの煩わしさを解消することができる。
【００２２】
上述した手段において、
「上着の襟元の内側に前記上方挿通部が設けられていることを特徴とする上着」
とするのが好適である。
【００２３】
外ポケットの内部を上着の内側に連通させる外ポケット挿通部にコードを通すだけでは、イヤホンを使用しない時に耳から外すと、上着の内側において、外ポケット挿通部からコードと共にイヤホンが無用に大きく垂下がってしまう。
【００２４】
これに対して、上記構成の上着では、上着の内側において、襟元にコードが挿通可能な上方挿通部を備えており、この襟元の上方挿通部にコードを通すことで、イヤホンのコードを上着の上部にて拘束することができる。よって、イヤホンを使用しない時に耳から外しても、コードと共にイヤホンが無用に大きく垂下がることを防止することができる。
【００２５】
なお、襟元は、首周り周辺を示すものであり、上着において明確な境界はないのであるが、本書においては、上着の上半分以上の部位を示す。
【発明の効果】
【００２６】
上述した通り、本発明によれば、携帯用機器が操作し易く、また、イヤホンのコードが外側に煩わしく引き回されることがなく、携帯用機器を心地よく使用することのできる上着を提供することができる。
【図面の簡単な説明】
【００２７】
【図１】本発明に係る上着の一例を示す斜視図である。
【図２】図１に示した上着の内側の要部を示す斜視図である。
【図３】挿通部の種々の例を示す説明図である。
【発明を実施するための形態】
【００２８】
図１及び図２に、本発明に係る上着１０の一例を示す。この上着１０は、背広の上衣やジャケットであるが、本発明に係る上着１０としては、これに限らず、カーディガン、ジャンパー、トレーニングウエアの上衣、コート等であってもよい。
【００２９】
上着１０の下部には、外側に開口する外ポケット１１が設けられており、この外ポケット１１の上部の裏側には、外ポケット１１の内部を上着１０の内側に連通させる貫通孔によって構成された上ポケット挿通部２０が設けられている。ここで、外ポケット挿通部２０は、外ポケット１１に収納された携帯用機器３０のイヤホン３１のコード３２を挿通可能な大きさに形成されており、外ポケット挿通部２０にコード３２を通すことで、外ポケット１１に入れた携帯用機器３０のイヤホン３１のコード３２を、上着１０の内側に引き回すことができる。
【００３０】
特に、本例の上着１０では、外ポケット１１に、その開口を塞ぐ返し片１１ａが設けられており、外ポケット１１に収納した携帯用機器３０のコード３２を外ポケット１１の開口から外側に引出すと、返し片１１ａが邪魔になり、イヤホン３１を使用する使用者の頭部へとコード３２を直線的に引出すことができず、外側に引き回されたコード３２が非常に煩わしくなるのであるが、上述のように、コード３２を上着１０の内側に引き回すことで、この煩わしさを解消することができる。
【００３１】
なお、本例においては、外ポケット挿通孔２０を縫製の穴かがりによって形成しているが、適宜形状の鳩目金具によって形成してもよい。また、外ポケット挿通部２０は、イヤホン３１またはコード３２の接続端子（コード３２を携帯用機器３０に接続するための端子）を通すことができる大きさに設定されている。
【００３２】
ところで、外ポケット挿通部２０を穴かがりによって形成する場合には、図３に示すような種々の形態の外ポケット挿通部２０を適用することができる。
【００３３】
図３（ａ）は、丸孔状の外ポケット挿通部２０であり、イヤホン３１やコード３２の接続端子を挿通可能な大きさとすることで、挿通したコード３２を円滑にスライドさせることができる。
【００３４】
図３（ｂ）は、縦長のスリット状の外ポケット挿通部２０であり、イヤホン３１やコード３２の接続端子を通す際には大きく開かせることができる一方で、コード３２を挿通させた後には自動的に狭く閉じるため、挿通したコード３２が無用にスライドしないように、ある程度、拘束することができる。
【００３５】
なお、外ポケット挿通部２０をスリット状とする場合には、本願請求項２の発明に関与するものではないが参考として、縦長のスリット状としてもよく、横長のスリット状としてもよい。縦長のスリット状とした場合には、上着１０の内側で引き回すコード３２の縦方向の自由度を高めることができ、横長のスリット状とした場合には、上着１０の内側で引き回すコード３２の横方向の自由度を高めることができる。
【００３６】
図３（ｃ）及び図３（ｄ）は、丸孔２０ａとスリット２０ｂとを組合わせた外ポケット挿通部２０であり、丸孔状だけの外ポケット挿通部２０やスリット状だけの外ポケット挿通部２０に比して、イヤホン３２やコード３２の接続端子を通し易くしたものである。
【００３７】
なお、イヤホン３１の使用時には、イヤホン３１のコード３２が、外ポケット挿通部２０から上方に引き回されるため、イヤホン３１のコード３２は、外ポケット挿通部２０の上部に位置することになる。よって、丸孔２０ａとスリット２０ｂとを組合わせた縦長の外ポケット挿通部２０の場合には、図３（ｃ）のように、上部が丸孔２０ａで下部がスリット２０ｂであると、外ポケット挿通部２０内にてコード３２を円滑にスライドさせることができる。一方、図３（ｄ）のように、上部がスリット２０ｂで下部が丸孔２０ａであると、コード３２が外ポケット挿通部２０内にて無用にスライドしないように、コード３２をある程度、拘束することができる。
【００３８】
また、イヤホン３１の使用時には、イヤホン３１のコード３２が、外ポケット挿通部２０から後方に引き回されるため、イヤホン３１のコード３２は、外ポケット挿通部２０の後部に位置することになる。よって、丸孔２０ａとスリット２０ｂとを組合わせた縦長の外ポケット挿通部２０の場合には、図示は省略するが、前部が丸孔２０ａで後部がスリット２０ｂであると、コード３２が外ポケット挿通部２０内にて無用にスライドしないように、コード３２をある程度、拘束することができる。一方、前部がスリット２０ｂで後部が丸孔２０ａであると、外ポケット挿通部２０内にてコード３２を円滑にスライドさせることができる。
【００３９】
ところで、本例の上着１０では、図２に示すように、外ポケット挿通部２０の上方に、内側に開口する内ポケット１２が設けられている。そして、この内ポケット１２の上部には、内ポケット１２の内部を上着１０の内側に連通させる貫通孔２２が、穴かがりによって形成されている。ここで、この貫通孔２２は、上述の外ポケット挿通部２０とは別途にコード３２を挿通させることのできる上方挿通部２１を構成するものである。
【００４０】
また、本例の上着１０では、襟元の内側に、帯状の布や紐を環状に逢着してなるループ２３が設けられている。ここで、このループ２３は、上述の貫通孔２２によって構成された内ポケット１２の上方挿通部２１や外ポケット挿通部２０とは別途にコード３２を挿通させることのできる上方挿通部２１を構成するものである。
【００４１】
このような上着１０では、外ポケット１１に入れた携帯用機器３０のイヤホン３１のコード３２を、外ポケット挿通部２０、内ポケット１２の貫通孔２２（上方挿通部２１）及び襟元のループ２３（上方挿通部２１）に通すことで、イヤホン３１を使用する際にコード３２が無用にぶらつかず、携帯用機器３０を快適に使用することができる。
【００４２】
また、イヤホン３１の不使用時には、コード３２が大きく垂下がることを防止することができる。特に、本例では、上着１０が背広の上衣やジャケットであり、クビレを有する襟１３を有するものとなっている。そして、襟元のループ２３（上方挿通部２１）は、襟１３のクビレ付近、より具体的には、クビレの上方、といったように、使用者の首元に設けられている。よって、襟元のループ２３（上方挿通部２１）にコード３２を通すことで、イヤホン３１を耳から外しても、イヤホン３１が大きく垂下がることはない。
【００４３】
以上、本発明に係る上着の一例を説明したが、本発明に係る上着１０は、上述の例に限らず、本発明の要旨を逸脱しない範囲で、適宜の変更が可能である。
【００４４】
例えば、貫通孔２２やループ２３によって構成された上方挿通部２１は必須ウではなく、一方または両方を省略してもよい。また、内ポケット１２の貫通孔２２や襟元のループ２３の外に、他の上方挿通部２１を設けてもよい。
【００４５】
さらに、外ポケット１１は、上着１０の下部に設けられたものに限らず、上着１０の上部、より具体的には胸元に設けられた胸ポケットであってもよい。胸ポケットを本発明における外ポケット１１とする場合においても、胸ポケットの内部を上着１０の内側に連通させる外ポケット挿通部２０を設け、この外ポケット挿通部２０に携帯用機器３０のコード３２を挿通させればよい。なお、この場合には、外ポケット挿通部２０が使用者の首元に近いため、コード３２を挿通させる上方挿通部２１を省略しても、大きな支障を生じない。
【符号の説明】
【００４６】
１０  上着
１１  外ポケット
１１ａ  返し片
１２  内ポケット
１３  襟
２０  外ポケット挿通部
２０ａ  丸孔
２０ｂ  スリット
２１  上方挿通部
２２  貫通孔
２３  ループ
３０  携帯用機器
３１  イヤホン
３２  コード
【図１】
2010126870.tif 000003
【図２】
2010126870.tif 000004
【図３】
2010126870.tif 000005